(57)【要約】【課題】ＩＣカードの正当なユーザー以外の人が、このＩＣカードをアクティベートすることを困難にできる。【解決手段】ＧＰＳ装置を備えＩＣカードと通信可能な端末を用いてＩＣカードをアクティベートする方法であって、  端末に入力された鍵データと、ＩＣカードに記憶されている鍵データとが一致し、かつ、ＧＰＳ装置で測定した端末が現時点で置かれている位置の位置情報と、ＩＣカードに記憶されている位置情報とが一致している場合のみ、ＩＣカードをアクティベートすることを特徴とするＩＣカードのアクティベーション方法。【選択図】図１
2019049926.tif 000002
【特許請求の範囲】
【請求項１】
ＧＰＳ装置を備えＩＣカードと通信可能な端末を用いてＩＣカードをアクティベートする方法であって、
端末に入力された鍵データと、ＩＣカードに記憶されている鍵データとが一致し、かつ、ＧＰＳ装置で測定した端末が現時点で置かれている位置の位置情報と、ＩＣカードに記憶されている位置情報とが一致している場合のみ、ＩＣカードをアクティベートすることを特徴とするＩＣカードのアクティベーション方法。
【請求項２】
端末に入力された鍵データと、ＩＣカードに記憶されている鍵データとの照合をＩＣカードで行ない、照合の結果から、端末に入力された鍵データと、ＩＣカードに記憶されている鍵データとが一致しているかを判断することを特徴とする請求項１記載のＩＣカードのアクティベーション方法。
【請求項３】
ＧＰＳ装置で測定した端末が現時点で置かれている位置の位置情報と、ＩＣカードに記憶されている位置情報との照合をＩＣカードで行ない、照合の結果から、ＧＰＳ装置で測定した端末が現時点で置かれている位置の位置情報と、ＩＣカードに記憶されている位置情報とが一致しているかを判断することを特徴とする請求項１又は２に記載のＩＣカードのアクティベーション方法。
【請求項４】
端末に入力された鍵データと、ＩＣカードに記憶されている鍵データとが一致し、かつ、ＧＰＳ装置で測定した端末が現時点で置かれている位置の位置情報と、ＩＣカードに記憶されている位置情報とが一致している場合のみ、端末からアクティベート要請をサーバーに送信し、サーバーからＩＣカードにアクティベート許可を送信することで、ＩＣカードがＩＣカードをアクティベートすることを特徴とする請求項１〜３のいずれか１項に記載のＩＣカードのアクティベーション方法。
【発明の詳細な説明】
【技術分野】
【０００１】
本発明は、ＩＣカードのアクティベーション方法に関する。
【背景技術】
【０００２】
従来から、ＩＣカードは、クレジットカード、キャッシュカードなど特定の用途のカードに適用され、各ユーザー向けに、有効な状態で発行した後に郵送し、それを受け取ったユーザーに利用されるという方法が知られている。
【０００３】
しかしながら、この方法だと郵送中にＩＣカードが抜き取られて不正使用される恐れがあるという欠点を有する。実際に顧客情報が入った状態で放置された廃棄用ＩＣカードが盗まれ、不正利用される事件も発生している。
【０００４】
また、従来から、ＩＣカードを、各ユーザー向けに、無効な状態で発行した後に郵送し、それを受け取ったユーザーから提供される情報によって、ＩＣカードは無効な状態から有効な状態に有効化（アクティベート）されてから、そのユーザーに利用されるアクティベーションと呼ばれる方法も知られている（例えば特許文献１参照）。
【０００５】
しかしながら、従来のアクティベーション方法においても、アクティベートのために必要な情報が漏れてしまった場合、第三者に不正アクティベートされてしまう恐れがあるという欠点を有する。
【先行技術文献】
【特許文献】
【０００６】
【特許文献１】特開２００４−６２７７２号公報
【発明の概要】
【発明が解決しようとする課題】
【０００７】
本発明は、斯かる従来技術の欠点に鑑みてなされたもので、ＩＣカードの正当なユーザー以外の人が、このＩＣカードをアクティベートすることを困難にできることを課題とする。
【課題を解決するための手段】
【０００８】
本発明において上記課題を解決するために、まず請求項１の発明では、ＧＰＳ装置を備えＩＣカードと通信可能な端末を用いてＩＣカードをアクティベートする方法であって、
端末に入力された鍵データと、ＩＣカードに記憶されている鍵データとが一致し、かつ、ＧＰＳ装置で測定した端末が現時点で置かれている位置の位置情報と、ＩＣカードに記憶されている位置情報とが一致している場合のみ、ＩＣカードをアクティベートすることを特徴とするＩＣカードのアクティベーション方法としたものである。
【０００９】
また、請求項２の発明では、端末に入力された鍵データと、ＩＣカードに記憶されている鍵データとの照合をＩＣカードで行ない、照合の結果から、端末に入力された鍵データと、ＩＣカードに記憶されている鍵データとが一致しているかを判断することを特徴とする請求項１記載のＩＣカードのアクティベーション方法としたものである。
【００１０】
また、請求項３の発明では、ＧＰＳ装置で測定した端末が現時点で置かれている位置の位置情報と、ＩＣカードに記憶されている位置情報との照合をＩＣカードで行ない、照合
の結果から、ＧＰＳ装置で測定した端末が現時点で置かれている位置の位置情報と、ＩＣカードに記憶されている位置情報とが一致しているかを判断することを特徴とする請求項１又は２に記載のＩＣカードのアクティベーション方法としたものである。
【００１１】
また、請求項４の発明では、端末に入力された鍵データと、ＩＣカードに記憶されている鍵データとが一致し、かつ、ＧＰＳ装置で測定した端末が現時点で置かれている位置の位置情報と、ＩＣカードに記憶されている位置情報とが一致している場合のみ、端末からアクティベート要請をサーバーに送信し、サーバーからＩＣカードにアクティベート許可を送信することで、ＩＣカードがＩＣカードをアクティベートすることを特徴とする請求項１〜３のいずれか１項に記載のＩＣカードのアクティベーション方法としたものである。
【発明の効果】
【００１２】
請求項１に係る発明は、端末に入力された鍵データと、ＩＣカードに記憶されている鍵データとが一致し、かつ、ＧＰＳ装置で測定した端末が現時点で置かれている位置の位置情報と、ＩＣカードに記憶されている位置情報とが一致している場合のみ、ＩＣカードをアクティベートするので、ＩＣカードが正当なユーザー以外の人に渡り、この人にＩＣカードに記憶されている鍵データが漏れたとしても、この人が、ＩＣカードに記憶されている位置情報が示す位置に、端末をＩＣカードと一緒に持って行かない限り、ＩＣカードをアクティベートできない。このため、ＩＣカードに記憶されている位置情報を、正当なユーザーの住所とすれば、正当なユーザーの住所に、端末をＩＣカードと一緒に持って行かない限り、ＩＣカードをアクティベートできないことになり、正当なユーザー以外の人が、ＩＣカードをアクティベートすることは、困難になる。
【００１３】
請求項２に係る発明は、端末に入力された鍵データと、ＩＣカードに記憶されている鍵データとの照合をＩＣカードで行ない、照合の結果から、端末に入力された鍵データと、ＩＣカードに記憶されている鍵データとが一致しているかを判断するので、ＩＣカードに記憶されている鍵データが、端末に読み取られることがなく、ＩＣカードが正当なユーザー以外の人に渡ったとしても、この人にＩＣカードに記憶されている鍵データが漏れる可能性が低くなって、正当なユーザー以外の人が、ＩＣカードをアクティベートすることは、一層、困難になる。
【００１４】
請求項３に係る発明は、ＧＰＳ装置で測定した端末が現時点で置かれている位置の位置情報と、ＩＣカードに記憶されている位置情報との照合をＩＣカードで行ない、照合の結果から、ＧＰＳ装置で測定した端末が現時点で置かれている位置の位置情報と、ＩＣカードに記憶されている位置情報とが一致しているかを判断するので、ＩＣカードに記憶されている位置情報が、端末に読み取られることがなく、ＩＣカードが正当なユーザー以外の人に渡ったとしても、この人にＩＣカードに記憶されている位置情報が漏れる可能性が低くなって、正当なユーザー以外の人が、ＩＣカードをアクティベートすることは、一層、困難になる。
【００１５】
請求項４に係る発明は、端末に入力された鍵データと、ＩＣカードに記憶されている鍵データとが一致し、かつ、ＧＰＳ装置で測定した端末が現時点で置かれている位置の位置情報と、ＩＣカードに記憶されている位置情報とが一致している場合のみ、端末からアクティベート要請をサーバーに送信し、サーバーからＩＣカードにアクティベート許可を送信することで、ＩＣカードがＩＣカードをアクティベートするので、ＩＣカードが正当なユーザー以外の人に渡り、この人にＩＣカードに記憶されている鍵データが漏れ、この人が、ＩＣカードに記憶されている位置情報が示す位置に、端末をＩＣカードと一緒に持って行ったとしても、この端末がサーバーと接続できなければ、ＩＣカードをアクティベートできないため、正当なユーザー以外の人が、ＩＣカードをアクティベートすることは、
より一層、困難になる。
【００１６】
以上、本発明は、ＩＣカードの正当なユーザー以外の人が、このＩＣカードをアクティベートすることを困難にできるという効果がある。
【図面の簡単な説明】
【００１７】
【図１】本発明方法の処理の流れを示すフローチャート。
【図２】本発明方法に係るハードウェア構成例を示す図。
【発明を実施するための形態】
【００１８】
以下に、本発明の一実施形態を説明する。
【００１９】
本発明方法には、例えば、図２に示すように、サーバー１０と、端末３０と、ＩＣカード４０とが係り、サーバー１０と端末３０とはネットワーク２０に接続され、ＩＣカード４０は、端末３０と、接触して通信可能な接触型ＩＣカードであっても、或いは、端末３０にかざして非接触で通信可能な非接触型ＩＣカードであっても良い。
【００２０】
サーバー１０は、図２に示すように、ＣＰＵ１１と、メモリ１２と、通信部１３と、入力部１４と、表示部１５とを備え、ＣＰＵ１１は、プログラムに従って処理を実行する中央処理装置であり、メモリ１２は、データ及びプログラムを記憶する記憶装置であり、通信部１３は、ネットワーク２０に接続する通信装置であり、入力部１４は、データを入力する入力装置であり、表示部１５は、データを表示する表示装置である。
【００２１】
ネットワーク２０は、例えば、インターネットでも良い。
【００２２】
端末３０は、図２に示すように、ＣＰＵ３１と、メモリ３２と、第１通信部３３と、入力部３４と、表示部３５と、ＧＰＳ部３６と、第２通信部３７とを備え、ＣＰＵ３１は、プログラムに従って処理を実行する中央処理装置であり、メモリ３２は、データ及びプログラムを記憶する記憶装置であり、第１通信部３３は、ネットワーク２０に接続する通信装置であり、入力部１４は、データを入力する入力装置であり、表示部１５は、データを表示する表示装置であり、ＧＰＳ部３６は、複数の静止衛星からの電波を受信して、端末３０が現時点で置かれている位置を測定するＧＰＳ装置であり、第２通信部３７は、ＩＣカード４０と接触して、或いは、かざされたＩＣカード４０と非接触で通信する装置である。ここで、ＧＰＳとは、グローバル・ポジショニング・システム（Ｇｌｏｂａｌ  Ｐｏｓｉｔｉｏｎｉｎｇ  Ｓｙｓｔｅｍ）の略称である。端末３０は、例えば、スマートフォンなどの携帯端末であっても良い。
【００２３】
ＩＣカード４０は、図２に示すように、ＣＰＵ４１と、メモリ４２と、通信部４３とを備え、ＣＰＵ４１は、プログラムに従って処理を実行する中央処理装置であり、メモリ４２は、データ及びプログラムを記憶する装置であり、通信部４３は、端末３０と接触して、或いは、ＩＣカード４０がかざされた端末３０と非接触で通信する装置である。
【００２４】
ＩＣカード４０のメモリ４２には、無効、有効の２値を取るフラグが記憶されている。ＩＣカード４０のメモリ４２には、ＩＣカード４０を、クレジットカード、キャッシュカードなど特定の用途のカードに適用するためのアプリケーションプログラムが記憶されているけれども、ＩＣカード４０のメモリ４２には、ＩＣカード４０のＣＰＵ４１に対して、このアプリケーションプログラムに従って処理を行う前に、このフラグの値を読み、このフラグの値が無効であれば、この処理を行わせず、このフラグの値が有効であれば、この処理を行わせるシステムプログラムも記憶されており、このフラグが無効の値を取る場合、ＩＣカード４０は無効な状態であり、他方、このフラグが有効の値を取る場合、ＩＣカード４０は有効な状態である。
【００２５】
また、ＩＣカード４０のメモリ４２には、鍵データと位置情報とが記憶されている。
【００２６】
また、ＩＣカード４０のメモリ４２には、ＩＣカード用のアクティベートプログラムが記憶されている。このＩＣカード用のアクティベートプログラムは、ＩＣカード４０のＣＰＵ４１に対して、端末３０から鍵データをＩＣカード４０の通信部４３で受信して、受信した鍵データと、ＩＣカード４０のメモリ４２に記憶している鍵データとを照合し、双方の鍵データが一致しているならば、ＯＫを示す鍵データの照合結果を生成し、双方の鍵データが不一致ならば、ＮＧを示す鍵データの照合結果を作成して、ＩＣカード４０の通信部４３で端末３０に送信し、端末３０から端末３０が現時点で置かれている位置の位置情報をＩＣカード４０の通信部４３で受信して、受信した位置情報と、端末３０からＩＣカード４０のメモリ４２に記憶している位置情報とを照合し、双方の位置情報が一致しているならば、ＯＫを示す位置情報の照合結果を作成し、双方の位置情報が不一致ならば、ＮＧを示す位置情報の照合結果を作成して、ＩＣカード４０の通信部４３で端末３０に送信し、アクティベート許可をサーバー１０からネットワーク２０と端末３０を経由してＩＣカード４０の通信部４３で受信して、フラグの値を無効から有効に変更するアクティベートを実行する処理を行わせるプログラムである。
【００２７】
また、端末３０のメモリ３２には、端末用のアクティベートプログラムが記憶されている。この端末用のアクティベートプログラムは、端末３０のＣＰＵ３１に対して、端末３０の表示部３５で端末３０の入力部３４に鍵データの入力を催促する表示をし、入力された鍵データを、端末３０の第２通信部３７でＩＣカード４０に送信して、ＩＣカード４０から鍵データの照合結果を端末３０の第２通信部３７で受信し、端末３０のＧＰＳ部３６で端末３０が現時点で置かれている位置の位置情報を測定し、端末３０が現時点で置かれている位置の位置情報を端末３０の第２通信部３７でＩＣカード４０に送信して、ＩＣカード４０から位置情報の照合結果を端末３０の第２通信部３７で受信し、鍵データ及び位置情報の照合結果が共にＯＫを示しているならば、アクティベート要請を端末３０の第１通信部３３でネットワーク２０を経由してサーバー１０に送信する処理を行わせるプログラムである。
【００２８】
また、サーバー１０のメモリ１２には、サーバー用のアクティベートプログラムが記憶されている。この端末用のアクティベートプログラムは、サーバー１０のＣＰＵ１１に対して、アクティベート要請を端末３０からネットワーク２０を経由してサーバー１０の通信部１３で受信して、アクティベート許可をサーバー１０の通信部１３でネットワーク２０と端末３０を経由してＩＣカード４０に送信する処理を行わせるプログラムである。
【００２９】
ＩＣカード４０は、鍵データと位置情報を登録してＩＣカード４０のメモリ４２に記憶させ、ＩＣカード４０のメモリ４２に記憶されているフラグの値を無効にした後、ユーザーに提供される。登録する位置情報は、ユーザーがＩＣカード４０をアクティベートする場所の情報であり、ユーザーの住所であっても良い。また、登録した鍵データは、ユーザーに通知される。
【００３０】
以下に、サーバー１０のＣＰＵ１１、端末３０のＣＰＵ３１、ＩＣカード４０のＣＰＵ４１が、それぞれ、サーバー用、端末用、ＩＣカード用のアクティベートプログラムに従って行う処理の流れを、図１のフローチャートに従って説明する。
【００３１】
Ｓ（ＳＴＥＰ）１；
端末３０のＣＰＵ３１は、端末３０の表示部３５で端末３０の入力部３４に鍵データの入力を催促する表示をする。
【００３２】
Ｓ（ＳＴＥＰ）２；
ユーザーは、通知された鍵データを、端末３０の入力部３４に入力する。
【００３３】
Ｓ（ＳＴＥＰ）３；
端末３０のＣＰＵ３１は、入力された鍵データを、端末３０の第２通信部３７でＩＣカード４０に送信する。
【００３４】
Ｓ（ＳＴＥＰ）４；
ＩＣカード４０のＣＰＵ４１は、端末３０から鍵データをＩＣカード４０の通信部４３で受信し、受信した鍵データと、ＩＣカード４０のメモリ４２に記憶している鍵データとを照合し、
双方の鍵データが一致しているならば、ＯＫを示す鍵データの照合結果を生成し、
双方の鍵データが不一致ならば、ＮＧを示す鍵データの照合結果を作成する。
【００３５】
Ｓ（ＳＴＥＰ）５；
ＩＣカード４０のＣＰＵ４１は、鍵データの照合結果を、ＩＣカード４０の通信部４３で端末３０に送信する。
【００３６】
Ｓ（ＳＴＥＰ）６；
端末３０のＣＰＵ３１は、ＩＣカード４０から鍵データの照合結果を端末３０の第２通信部３７で受信する。
【００３７】
Ｓ（ＳＴＥＰ）７；
端末３０のＣＰＵ３１は、端末３０のＧＰＳ部３６で端末３０が現時点で置かれている位置の位置情報を測定し、端末３０が現時点で置かれている位置の位置情報を端末３０の第２通信部３７でＩＣカード４０に送信する。
【００３８】
Ｓ（ＳＴＥＰ）８；
ＩＣカード４０のＣＰＵ４１は、端末３０から端末３０が現時点で置かれている位置の位置情報をＩＣカード４０の通信部４３で受信して、受信した位置情報と、ＩＣカード４０のメモリ４２に記憶している位置情報とを照合し、
双方の位置情報が一致しているならば、ＯＫを示す位置情報の照合結果を作成し、
双方の位置情報が不一致ならば、ＮＧを示す位置情報の照合結果を作成する。
【００３９】
Ｓ（ＳＴＥＰ）９；
ＩＣカード４０のＣＰＵ４１は、位置情報の照合結果を、ＩＣカード４０の通信部４３で端末３０に送信する。
【００４０】
Ｓ（ＳＴＥＰ）１０；
端末３０のＣＰＵ３１は、ＩＣカード４０から位置情報の照合結果を端末３０の第２通信部３７で受信する。
【００４１】
Ｓ（ＳＴＥＰ）１１；
端末３０のＣＰＵ３１は、鍵データの照合結果、位置情報の照合結果を読み、
鍵データの照合結果及び位置情報の照合結果が共にＯＫを示しているならば、ＳＴＥＰ１２に進み、
鍵データの照合結果、位置情報の照合結果のいずれか一方、或いは、双方がＮＧを示し
ているならば、ＳＴＥＰ１に戻る。
【００４２】
Ｓ（ＳＴＥＰ）１２；
端末３０のＣＰＵ３１は、アクティベート要請を端末３０の第１通信部３３でネットワーク２０を経由してサーバー１０に送信する。
【００４３】
Ｓ（ＳＴＥＰ）１３；
サーバー１０のＣＰＵ１１は、アクティベート要請を端末３０からネットワーク２０を経由してサーバー１０の通信部１３で受信する。
【００４４】
Ｓ（ＳＴＥＰ）１４；
サーバー１０のＣＰＵ１１は、アクティベート許可をサーバー１０の通信部１３でネットワーク２０と端末３０を経由してＩＣカード４０に送信する。
【００４５】
Ｓ（ＳＴＥＰ）１５；
ＩＣカード４０のＣＰＵ４１は、アクティベート許可をサーバー１０からネットワーク２０と端末３０を経由してＩＣカード４０の通信部４３で受信する。
【００４６】
Ｓ（ＳＴＥＰ）１６；
ＩＣカード４０のＣＰＵ４１は、フラグの値を無効から有効に変更するアクティベートを実行する。
【符号の説明】
【００４７】
１０…サーバー
１１…ＣＰＵ
１２…メモリ
１３…通信部
１４…入力部
１５…表示部
２０…ネットワーク
３０…端末
３１…ＣＰＵ
３２…メモリ
３３…第１通信部
３４…入力部
３５…表示部
３６…ＧＰＳ部
３７…第２通信部
４０…ＩＣカード
４１…ＣＰＵ
４２…メモリ
４３…通信部
【図１】
2019049926.tif 000003
【図２】
2019049926.tif 000004